【手続補正書】
【提出日】平成16年7月9日(2004.7.9)
【手続補正１】
【補正対象書類名】特許請求の範囲
【補正対象項目名】全文
【補正方法】変更
【補正の内容】
【特許請求の範囲】
【請求項１】
ポリマー中に存在するアルデヒドの測定方法であって、
気体状アルデヒドをポリマーから限られた空間中に抽出する工程；
該気体状アルデヒドを、前記限られた空間中、試薬担体上でアルデヒド反応性試薬と反応させる工程；
該アルデヒド反応性試薬を試薬溶液と接触させて検出可能な応答を得る工程；および
応答を測定してアルデヒドの読取り値を得る工程を含む方法。
【請求項２】
前記抽出工程が前記ポリマーの温度を上昇させる工程をさらに含む請求項１に記載の方法。
【請求項３】
前記接触工程の所要時間を短縮させるために、前記試薬溶液を攪拌する工程をさらに含む請求項１または２に記載の方法。
【請求項４】
前記接触工程の所要時間を短縮させるために、前記試薬溶液を加熱する工程をさらに含む請求項１、２または３に記載の方法。
【請求項５】
前記測定工程が比色分析である請求項１〜４のいずれかに記載の方法。
【請求項６】
前記の反応したアルデヒド反応性試薬を溶解して均一な溶液を形成するために前記試薬溶液を過剰量存在させる請求項１〜５のいずれかに記載の方法。
【請求項７】
前記限られた空間が気密性容器であり、前記ポリマーを該容器内に配置する請求項１〜６のいずれかに記載の方法。
【請求項８】
前記限られた空間を、プレフォームとクロージャとの組合せ、またはボトルとクロージャとの組合せのいずれかにより形成する請求項１〜６のいずれかに記載の方法。
【請求項９】
前記の気体状アルデヒドを試薬担体上に配置したアルデヒド反応性試薬と反応させる工程に先立って、前記気密性容器または前記クロージャのうち一方のセプタムを通して気密性シリンジの針を挿入し、さらに不活性試薬担体上にコーティングした該アルデヒド反応性試薬を、該気密性シリンジの針の中から前記限られた空間中に移動する請求項７または８に記載の方法。
【請求項１０】
前記の気体状アルデヒドを抽出する工程を、気密性シリンジ内に設けた限られた空間内への抽出により行い、かつ不活性試薬担体上にコーティングした前記アルデヒド反応性試薬を該気密性シリンジの胴部内に設ける請求項１〜６のいずれかに記載の方法。
【請求項１１】
前記ポリマーが、成形プレフォームまたは成形ボトルである請求項１〜１０のいずれかに記載の方法。
【請求項１２】
測定をポリマー片について行う請求項１〜１１のいずれかに記載の方法。
【請求項１３】
前記アルデヒド反応性試薬が３−メチル−２−ベンゾチアゾリノンヒドラゾン塩酸塩からなる請求項１〜１２のいずれかに記載の方法。
【請求項１４】
前記アルデヒド反応性試薬が、４−アミノ−３−ヒドラジノ−５−メルカプト−１，２，４−トリアゾール、２−ヒドラジノベンゾチアゾール、２，４−ジニトロフェニルヒドラゾン、５−ジメチルアミノナフタレン−１−スルホヒドラジド、２−ジフェニルアセチル−１，３−インダンジオン−１−ヒドラゾン、２−ヒドラジノベンゾチアゾール−４−ニトロベンゼンジアゾニウムフルオロボレート、ｐ−ニトロベンザルヒドラゾン、１，３−シクロヘキサンジオン、３，５−ジアミノ安息香酸、５，５−ジメチルシクロヘキサン−１，３−ジオン、２−ヒドロキシカルバゾール、ジメドンおよびインドールからなる群より選択される化合物を含んでいる請求項１〜１２のいずれかに記載の方法。
【請求項１５】
前記試薬担体が、支持ストリップに設けた固体粒状担体上にコーティングしたアルデヒド反応性試薬からなる請求項１〜１４のいずれかに記載の方法。
【請求項１６】
前記試薬担体が粒状アルミナからなる請求項１〜１５のいずれかに記載の方法。
【請求項１７】
前記試薬溶液が酸化剤溶液であり、前記アルデヒド反応性試薬が該酸化剤溶液によって酸化される請求項１〜１６のいずれかに記載の方法。
【請求項１８】
前記酸化剤溶液が、塩化第二鉄水溶液；フェリシアン化カリウム水溶液；四酢酸鉛水溶液；および過ヨウ素酸水溶液のうちの１つである請求項１７に記載の方法。
【請求項１９】
ポリマー試験試料から抽出した気体状媒体中のアセトアルデヒドの検出用試験ストリップであって、試薬担体上にコーティングしたアセトアルデヒド反応性試薬を含む試験ストリップ。
【請求項２０】
前記のコーティングされた試薬担体が、前記アセトアルデヒド反応性試薬に対して化学的に不活性な不活性支持体に結合している請求項１９に記載の試験ストリップ。
【請求項２１】
前記アセトアルデヒド反応性試薬が、３−メチル−２−ベンゾチアゾリノンヒドラゾン塩酸塩を含んでいる請求項１９または２０に記載の試験ストリップ。
【請求項２２】
前記アセトアルデヒド反応性試薬が、４−アミノ−３−ヒドラジノ−５−メルカプト−１，２，４−トリアゾール、２−ヒドラジノベンゾチアゾール、２，４−ジニトロフェニルヒドラゾン、５−ジメチルアミノナフタレン−１−スルホヒドラジド、２−ジフェニルアセチル−１，３−インダンジオン−１−ヒドラゾン、２−ヒドラジノベンゾチアゾール−４−ニトロベンゼンジアゾニウムフルオロボレート、ｐ−ニトロベンザルヒドラゾン、１，３−シクロヘキサンジオン、３，５−ジアミノ安息香酸、５，５−ジメチルシクロヘキサン−１，３−ジオン、２−ヒドロキシカルバゾール、ジメドンおよびインドールからなる群より選択される化合物を含んでいる請求項１９または２０に記載の試験ストリップ。
【請求項２３】
前記試薬担体がアルミナを含んでいる請求項１９〜２２のいずれかに記載の試験ストリップ。
【請求項２４】
前記アルミナ担体が、粒状アルミナの形態を有しており、該粒状アルミナが好ましくは約８０〜２００の平均メッシュサイズを有している請求項２３に記載の試験ストリップ。
【請求項２５】
前記アルミナ担体が、前記アセトアルデヒド反応性試薬に対して不活性なテープに薄い層として接着されている請求項２３または２４に記載の試験ストリップ。
【請求項２６】
前記テープが、それと反応した全アセトアルデヒドに対して０．５μｇの検出下限値を有している請求項１９〜２５のいずれかに記載の試験ストリップ。
【請求項２７】
ポリマー中アルデヒドの測定キットであって、
気密性のある、限られた空間を形成するための手段；
請求項１９〜２６のいずれかに記載の試験ストリップ；および
試薬溶液
を含むキット。
【請求項２８】
前記の気密性のある、限られた空間を形成するための手段が、
成形品の中に、気密性のある、限られた空間を形成して前記ポリマーから抽出したアルデヒドを収容するのに適したクロージャ；および
成形品の周囲に、気密性のある、限られた空間を形成して前記ポリマーから抽出したアルデヒドを収容するのに適した容器のうちの一方である請求項２７に記載のキット。
【請求項２９】
前記の気密性のある、限られた空間を形成するための手段並びに前記キットが、前記限られた空間からヘッドスペースガスをサンプリングするための気密性シリンジをさらに含んでいる請求項２８に記載のキット。
【請求項３０】
反応したアルデヒドの量を測定するためのチャートをさらに含んでいる請求項２７、２８または２９に記載のキット。
【請求項３１】
反応したアルデヒドの量を測定するための分光光度計をさらに含んでいる請求項２７〜３０のいずれかに記載のキット。
【請求項３２】
検出したアルデヒドと前記ポリマーのアルデヒド含量とを相関付けるための相関表をさらに含んでいる請求項２７〜３１のいずれかに記載のキット。
【請求項３３】
前記試薬溶液が、塩化第二鉄水溶液、フェリシアン化カリウム水溶液、四酢酸鉛水溶液、過ヨウ素酸水溶液、および酸性塩化第二鉄溶液のうちの一つである請求項２７〜３２のいずれかに記載のキット。
【請求項３４】
前記塩化第二鉄溶液の濃度が約０．５〜３重量％である請求項３３に記載のキット。
【請求項３５】
ポリマー中アルデヒドの測定キットであって、
セプタムを有する、気密性のある、限られた空間を形成するための手段；
針を有するシリンジであって、その内部に試薬担体にアルデヒド反応性試薬でコーティングしたリトラクタブル繊維の配されたシリンジ；および
試薬溶液を含むキット。
【請求項３６】
前記の気密性のある、限られた空間を形成するための手段が、成形品の中に、気密性のある、限られた空間を形成して前記ポリマーから抽出したアルデヒドを収容するのに適したクロージャであって、セプタムを有するように構成されたクロージャ、および成形品の周囲に、気密性のある、限られた空間を形成して前記ポリマーから抽出したアルデヒドを収容するのに適した容器であって、セプタムを有するように構成された容器のうちの一方である請求項３５に記載のキット。
【請求項３７】
前記アルデヒド反応性試薬が、３−メチル−２−ベンゾチアゾリノンヒドラゾン塩酸塩を含んでいる請求項３５または３６に記載のキット。
【請求項３８】
前記アルデヒド反応性試薬が、４−アミノ−３−ヒドラジノ−５−メルカプト−１，２，４−トリアゾール、２−ヒドラジノベンゾチアゾール、２，４−ジニトロフェニルヒドラゾン、５−ジメチルアミノナフタレン−１−スルホヒドラジド、２−ジフェニルアセチル−１，３−インダンジオン−１−ヒドラゾン、２−ヒドラジノベンゾチアゾール−４−ニトロベンゼンジアゾニウムフルオロボレート、ｐ−ニトロベンザルヒドラゾン、１，３−シクロヘキサンジオン、３，５−ジアミノ安息香酸、５，５−ジメチルシクロヘキサン−１，３−ジオン、２−ヒドロキシカルバゾール、ジメドンおよびインドールからなる群より選択される化合物を含んでいる請求項３５または３６に記載のキット。
【請求項３９】
前記試薬担体が粒状アルミナを含んでいる請求項３５〜３８のいずれかに記載のキット。
【請求項４０】
前記試薬溶液が、塩化第二鉄水溶液、フェリシアン化カリウム水溶液、四酢酸鉛水溶液、過ヨウ素酸水溶液、および酸性塩化第二鉄溶液のうちの一つである請求項３５〜３９のいずれかに記載のキット。